(57)【要約】【課題】全ての撮影装置で発生した画像を少ない工程で取得できるようにし、効率的な運用を実現できるシステムを得ること。【解決手段】撮像装置から得られた医療画像データを通信ネットワークを介して取得する医療画像情報管理システムにおいて、複数の前記撮像装置を結合する装置ネットワークに接続し通信部機能を備える画像サーバと、前記画像サーバを結合するコンピュータ・ネットワークに接続し前記医療画像データの管理情報を格納するデータベース部と、前記画像サーバを結合するコンピュータ・ネットワークに接続し前記データベース部に管理され前記医療画像データを格納するストレージ部とを備えることを特徴とする医療画像情報管理システム。【選択図】      図１
2004305456.tif 000002
【特許請求の範囲】
【請求項１】
撮像装置から得られた医療画像データを通信ネットワークを介して取得する医療画像情報管理システムにおいて、複数の前記撮像装置を結合する装置ネットワークに接続し通信部機能を備える画像サーバと、前記画像サーバを結合するコンピュータ・ネットワークに接続し前記医療画像データの管理情報を格納するデータベース部と、前記画像サーバを結合するコンピュータ・ネットワークに接続し前記データベース部に管理され前記医療画像データを格納するストレージ部とを備えることを特徴とする医療画像情報管理システム。
【請求項２】
前記撮像装置は、ＣＴ装置、ＭＲ装置、レントゲン装置等の医療画像を撮影する装置であることを特徴とする請求項１記載の医療画像情報管理システム。
【請求項３】
前記通信部機能は、ＤＩＣＯＭ規格をサポートすることを特徴とする請求項１記載の医療画像情報管理システム。
【請求項４】
前記データベース部は、前記通信部から識別情報を受信し、キー情報を前記ストレージ部へ送出することを特徴とする請求項１記載の医療画像情報管理システム。
【請求項５】
前記キー情報は、フォルダ名、ファイル名またはデータ名のいずれかであることを特徴とする請求項４記載の医療画像情報管理システム。
【請求項６】
前記画像サーバにアクセスして前記医療画像データを取得する画像ビューアを備えることを特徴とする請求項１から請求項５のいずれかに記載の医療画像情報管理システム。
【請求項７】
前記画像ビューアは、前記撮像装置により撮像された患者の前記識別情報をアクセス情報として送出することを特徴とする請求項６記載の医療画像情報管理システム。
【請求項８】
前記ストレージ部は、前記キー情報を受けて対応する前記医療画像データを前記画像ビューアに返信することを特徴とする請求項１から請求項７のいずれかに記載の医療画像情報管理システム。
【発明の詳細な説明】
【０００１】
【発明の属する技術分野】
本発明は、種々の撮像装置より得られた患者の医療画像情報を管理する医療画像情報管理システムに関するものである。
【０００２】
【従来の技術】
医療画像分野にあっては、従来、図２に表わすような医療画像情報管理システムが知られている。
【０００３】
図２の例では、装置ネットワークＮに、撮像装置であるＣＴ装置１、ＭＲ装置２、レントゲン装置３等が接続され、これらの撮像装置１，２，３で取得された患者の画像データ等は画像サーバＳ１，Ｓ２に格納される。そして、必要に応じて医師等は、画像ビューア４で所望の画像を呼び出す。
【０００４】
詳しくは、ＣＴ装置１で撮像した画像データは、装置ネットワークＮを介して画像サーバＳ１へ送信され、ＤＩＣＯＭ規格（Ｄｉｇｉｔａｌ  ＩｍａｇｉｎｇＣｏｍｍｕｎｉｃａｔｉｏｎｓ  ｉｎ  Ｍｅｄｉｃｉｎｅ：医用ディジタル画像と通信に関する標準規格）を備える通信部Ｓ１１で受信され、患者情報、フォルダ情報等はデータベース部Ｓ１２に格納され、画像データそのものはストレージ部Ｓ１３に格納される。
【０００５】
同様にして、ＭＲ装置２またはレントゲン装置３で撮像された患者の画像データは、装置ネットワークＮを介して画像サーバＳ２へ送信され、ＤＩＣＯＭ通信規格を備える通信部Ｓ２１により、患者情報、フォルダ情報等はデータベース部Ｓ２２に格納され、画像データそのものはストレージ部Ｓ２３に格納される。
【０００６】
そして、画像ビューワ４側からＣＴ画像を取得するには、画像サーバーＳ１にアクセス、検索し、ＭＲ画像またはレントゲン画像を取得するには、画像サーバーＳ２にアクセス、検索する。
【０００７】
このような従来の医療画像情報管理システムは、例えば、特開２０００−３１６８１６等に開示されている。
【０００８】
【特許文献１】
特開２０００−３１６８１６号公報
【０００９】
【発明が解決しようとする課題】
しかしながら、従来の画像サーバーＳ１，Ｓ２は、通信部Ｓ１１，Ｓ２１、データベース部Ｓ１２，Ｓ２２、ストレージ部Ｓ１３，Ｓ２３により一体構成となっていて、ＣＴ装置１からの画像データを受信した画像サーバーＳ１はＣＴ装置１の画像情報のみ、ＭＲ装置２及びレントゲン装置３からの画像データを受信した画像サーバーＳ２はＭＲ装置２及びレントゲン装置３からの画像情報のみを格納、管理していた。
【００１０】
従って、画像ビューワ４は、ＣＴ装置１で撮像した画像データを取得するには画像サーバＳ１を指定、ＭＲ装置２及びレントゲン装置３で撮像した画像データを取得するには画像サーバＳ２を指定するようにアクセスしていた。
【００１１】
また、１人の患者に対する全ての画像の取得、検索するためには、これらの画像サーバＳ１，Ｓ２を切り換えて画像を検索するようにして、１人の患者に対する全ての画像の取得、検索の実行を行っていた。
【００１２】
このため、画像サーバの検索、切り換え作業は煩雑であり、画像取得に手間がかかり、作業効率が悪かった。
【００１３】
本発明は、以上のような課題を解決するものであり、全ての撮影装置で発生した画像を少ない工程で取得できるようにし、効率的な運用を実現できるシステムを得ることを目的とする。
【００１４】
【課題を解決するための手段】
上記した課題を解決した本発明は、次の通りである。
（１）撮像装置から得られた医療画像データを通信ネットワークを介して取得する医療画像情報管理システムにおいて、複数の前記撮像装置を結合する装置ネットワークに接続し通信部機能を備える画像サーバと、前記画像サーバを結合するコンピュータ・ネットワークに接続し前記医療画像データの管理情報を格納するデータベース部と、前記画像サーバを結合するコンピュータ・ネットワークに接続し前記データベース部に管理され前記医療画像データを格納するストレージ部とを備えることを特徴とする医療画像情報管理システム。
（２）前記撮像装置は、ＣＴ装置、ＭＲ装置、レントゲン装置等の医療画像を撮影する装置であることを特徴とする（１）記載の医療画像情報管理システム。
（３）前記通信部機能は、ＤＩＣＯＭ規格をサポートすることを特徴とする（１）記載の医療画像情報管理システム。
（４）前記データベース部は、前記通信部から識別情報を受信し、キー情報を前記ストレージ部へ送出することを特徴とする（１）記載の医療画像情報管理システム。
（５）前記キー情報は、フォルダ名、ファイル名またはデータ名のいずれかであることを特徴とする（４）記載の医療画像情報管理システム。
（６）前記画像サーバにアクセスして前記医療画像データを取得する画像ビューアを備えることを特徴とする（１）から（５）のいずれかに記載の医療画像情報管理システム。
（７）前記画像ビューアは、前記撮像装置により撮像された患者の前記識別情報をアクセス情報として送出することを特徴とする（６）記載の医療画像情報管理システム。
（８）前記ストレージ部は、前記キー情報を受けて対応する前記医療画像データを前記画像ビューアに返信することを特徴とする（１）から（７）のいずれかに記載の医療画像情報管理システム。
【００１５】
【発明の実施の形態】
次に、本発明の医療画像情報管理システムを実施した例を図１のブロック図に表わす。尚この図で、図２に表した従来のブロック図と符号が同じものはその機能は同じであるので詳しい説明は省略する。
【００１６】
本発明システムの特徴は、装置ネットワークＮに接続される画像サーバＳ１’，Ｓ２’として、図２に示した通信部Ｓ１１，Ｓ２１と同等の機能のみを持たせ、患者情報、フォルダ情報等だけを格納するデータベース部ＤＢ、画像データそのものだけを格納するストレージ部ＳＴを独立させた点にある。
【００１７】
即ち、これらの画像サーバＳ１’，Ｓ２’、データベース部ＤＢ、ストレージ部ＳＴは一般的なコンピュータ・システムにより構成されるとともに、コンピュータ・ネットワークＮＮにより相互に接続され、別ノード上で動作する。
【００１８】
尚、この図１の本発明システムにあって、ＣＴ装置１、ＭＲ装置２、レントゲン装置３、画像ビューワ４、画像サーバＳ１’，Ｓ２’、データベース部ＤＢ、ストレージ部ＳＴはそれぞれ、Ａ病院、Ｂ医療センター、Ｃ大学等というように、別の機関、または同じ病院でも異なる場所の建屋等に設置されるコンピュータ・システムであってよく、この図に示したような装置ネットワークＮ、コンピュータ・ネットワークＮＮ等のような通信ネットワークにより接続されていれば設置場所は問わない。
【００１９】
このような構成の本発明システムの動作を次に説明する。
画像ビューア４にあって患者の画像データを検索する際、その入力部より、画像サーバーＳ１’または画像サーバーＳ２’のいずれかを指定し、検索すべき患者の患者番号、氏名、生年月日等、当該患者に固有の識別番号、識別記号等の識別情報を入力する。
【００２０】
画像ビューア４よりこの識別情報は、装置ネットワークＮを伝送し、指定された画像サーバ（例えば画像サーバＳ１’を選択したとする）に与えられる。通信部としての機能を備える画像サーバＳ１’はこの識別情報を解釈し、この識別情報を通信ネットワークＮＮを介してデータベース部ＤＢへ送達する。
【００２１】
続いて、データベース部ＤＢは、画像情報を読み出すためのキーとなる、フォルダ名、ファイル名、データ名等のキー情報をコンピュータ・ネットワークＮＮを介してストレージ部ＳＴに与える。
【００２２】
これにより、このキー情報に合致した画像データがストレージ部ＳＴから読み出され、読み出された画像データは、コンピュータ・ネットワークＮＮ、画像サーバＳ１’、装置ネットワークＮを介して画像ビューア４に送出される。
【００２３】
以上の動作により、画像ビューア４にて所望の画像データを取得し、その画像データの表示を行うことができる。一方、同様の手順により、画像ビューア４で画像サーバＳ２’を指定した場合も上記と同じステップにより、画像データが画像ビューア４に送出される。
【００２４】
このように、画像ビューア４側では、画像サーバの種類（画像サーバＳ１’，Ｓ２’のいずれか）を意識することなく、どちらを選択して検索を行っても所望の画像データを取得することができる。
【００２５】
更に、ストレージ部ＳＴは、ＣＴ装置１からのＣＴ画像、ＭＲ装置２からのＭＲ画像、レントゲン装置３のレントゲン画像を混在して格納しているので、検索の仕方により、１人の患者につき、種類の異なる複数の画像データを取得、表示することができる。
【００２６】
【発明の効果】
以上説明したように本発明によれば、画像ビューアから患者の画像データを取得する際、画像サーバの切り換え作業を行うことなく、また、画像を撮影した撮像装置の種類を意識することなく、どの画像サーバにアクセスしても所望の患者に対応する画像を取得することができ、効率的な運用を実現することができる。
【００２７】
また、所望の患者の識別情報を１台の画像サーバに与えて、種類の異なる撮像装置から、対応する複数の画像データを一度に取得することもできる。
【図面の簡単な説明】
【図１】本発明の医療画像情報管理システムを表わす構成ブロック図である。
【図２】従来の医療画像情報管理システムを表わす構成ブロック図である。
【符号の説明】
１  ＣＴ装置
２  ＭＲ装置
３  レントゲン装置
４  画像ビューア
Ｓ１，Ｓ２，Ｓ１’，Ｓ２’  画像サーバ
ＤＢ  データベース部
ＳＴ  ストレージ部
Ｎ  装置ネットワーク
ＮＮ  コンピュータ・ネットワーク
【図１】
2004305456.tif 000003
【図２】
2004305456.tif 000004